【手続補正書】
【提出日】平成20年3月10日(2008.3.10)
【手続補正１】
【補正対象書類名】明細書
【補正対象項目名】００２５
【補正方法】変更
【補正の内容】
【００２５】
親局１０と子局３０と間の光網は、親局１０に接続された共通の光ファイバ５０と、各子局３０に接続された支線光ファイバ５１−ｉ（ｉ＝１〜ｎ）とからなる。各支線光ファイバ５１ｉは、スターカプラ（光スプリッタ）５３によって、光ファイバ５０から分岐している。親局１０が光ファイバに送信した下りデータパケット（下りフレーム）は、スターカプラ５３で全ての支線光ファイバ５１に分岐され、全ての子局３０に配信される。各子局３０−ｉ（ｉ＝１〜ｎ）は、受信パケットの宛先アドレスを判定し、自局宛てのパケットを選択的に受信して、下流側の加入者端末４０−ｉに出力する。
各子局３０−ｉ（ｉ＝１〜ｎ）が支線光ファイバ５１に送信した上りデータパケット（上りフレーム）は、光カプラ５３で光ファイバ５０に束ねられ、時分割多重された形で親局に到着する。
【手続補正２】
【補正対象書類名】明細書
【補正対象項目名】００３９
【補正方法】変更
【補正の内容】
【００３９】
主制御部１００は、上りフレーム終端部１１３から、制御パケットとして、子局からのデータ送信要求を受信すると、遅延時間テーブル１０４とタイミング管理テーブル１０５を参照して、要求元に割り当てるべき送信許可期間を決定する。送信許可期間は、子局からの送信パケットが光ファイバ５０上で他の子局の送信パケットと衝突しない時間帯を選択して、例えば、Ｇ−ＰＯＮの場合、送信開始時刻と送信終了時刻とで指定される。送信許可期間の通知パケットは、下りフレーム生成部１２２でＰＯＮ下りフレームに組み込まれ、要求元の子局宛に送信される。本発明では、主制御部１００は、子局への送信許可期間の割り当ての都度、子局識別子（ＩＤ）を含む等化特性の切替え要求を等化器制御部１３０に与える。
【手続補正３】
【補正対象書類名】明細書
【補正対象項目名】００４１
【補正方法】変更
【補正の内容】
【００４１】
図５は、等化器１１２の１実施例を示す。
ここに例示した等化器１１２は、フィードフォワード（ＦＦ：FeedForward）フィルタ７０Ａと、ＦＦフィルタ用のタップ利得制御部７１Ａと、フィードバック（ＦＢ：FeedBack）フィルタ７０Ｂと、ＦＢフィルタ用のタップ利得制御部７１Ｂと、ＦＦフィルタ７０Ａの出力とＦＢフィルタ７０Ｂの出力を加算する加算器７５と、加算器７５の出力信号値をクロックＣＬのタイミングでサンプリングするサンプリング回路７６と、サンプリング回路７６の出力信号を所定の閾値で「１」、「０」判定する識別器７７と、識別器７７の入力信号値と出力信号値の差分を求める比較器７８とからなっている。
ここでは、等化器１１２が、加算器７５〜比較器７８を共用する形で、ＦＦ等化器７０ＡとＦＢ等化器７０Ｂとの２つの等化器を備えた構成となっているが、等化器１１２としては、ＦＢ等化器を除外した構成であってもよい。
【手続補正４】
【補正対象書類名】明細書
【補正対象項目名】００４３
【補正方法】変更
【補正の内容】
【００４３】
ＦＦフィルタ用タップ利得制御部７１Ａは、比較器７８から出力される識別器７７の入出力の差信号（エラー信号）を制御パラメータとして、ＦＦフィルタ７０Ａの各可変利得増幅器７３のゲイン（タップ利得）を制御する。ＦＦフィルタ７０Ａでは、Ｏ／Ｅ変換器１１１からの入力信号をフィルタ入力とすることにより、ＦｅｅｄＦｏｗａｒｄ型の利得制御が行われる。
ＦＢフィルタ用タップ利得制御部７１Ｂも、比較器７８から出力される識別器７７の入出力の差信号（エラー信号）を制御パラメータとして、ＦＢフィルタ７０Ｂの各タップ利得を制御する。ＦＢフィルタ７０Ｂでは、識別器７７の出力信号をフィルタ入力とすることにより、ＦｅｅｄＢａｃｋ型の利得制御を行っている。
【手続補正５】
【補正対象書類名】明細書
【補正対象項目名】００５２
【補正方法】変更
【補正の内容】
【００５２】
等化器制御部１３０は、主制御部１００から子局ＩＤを指定して等化特性の切替え要求を受けると、等化パラメータテーブル１４０Ａ、１４０Ｂから、指定された子局ＩＤと対応するテーブルエントリのタップ利得値セットを読み出し、ＦＦフィルタ用タップ利得制御部７１Ａのパラメータレジスタ８０と、ＦＢフィルタ用タップ利得制御部７１Ｂのパラメータレジスタ８０にそれぞれ設定する。これにより、子局３０−１から実際にパケットが到達する直前のタイミングで、等化器１５に、推測される分散量を打ち消すように調整されたタップ利得（ｇ１（０）、ｇ２（０）、・・・）を設定できる。
【手続補正６】
【補正対象書類名】明細書
【補正対象項目名】００５８
【補正方法】変更
【補正の内容】
【００５８】
式（２）から明らかなように、本実施例では、主制御部１００が、伝送遅延時間ｔｆ１と内部制御遅延ｔｄとを考慮したタイミングＴ１ｃで、等化器制御部１３０に切替え要求を発行している。従って、図８に示すように、子局３０−１が、親局１０から指定された送信開始時刻Ｔ１ｓでデータ送信を開始した場合、送信データが親局１０に到達する直前に、波形等化器１１２のタップ利得を子局３０−１用のタップ利得値に初期化（４１１）することができる。従って、子局３０−１からの送信信号４２０は、光伝送路で発生する波形歪の矯正に適した特性で等化処理した後、上りフレーム終端部１１３に供給される。
【手続補正７】
【補正対象書類名】明細書
【補正対象項目名】００６５
【補正方法】変更
【補正の内容】
【００６５】
図１２は、等化特性切替えの第３実施例の制御シーケンスを示す。
第３実施例の特徴は、主制御部１００が、子局に送信許可期間を通知した後、指令タイミング時刻Ｔ１ｃを計算することなく、等化器制御部１３０に直ちに等化特性の切替え要求４０５を発行し、等化器制御部１３０側で、パラメータレジスタ８０へのパラメータ設定タイミングを決定することにある。この場合、主制御部１００は、等化器制御部１３０がパラメータ設定タイミングの決定に必要とする情報を切替え要求４０５で指定する。
【手続補正８】
【補正対象書類名】明細書
【補正対象項目名】００６６
【補正方法】変更
【補正の内容】
【００６６】
本実施例では、切替え要求４０５は、子局ＩＤの他に、親局が子局に割り当てた送信開始時刻Ｔ１ｓと、子局からの送信信号の伝送遅延時間ｔｆ１とを含む。等化器制御部１３０は、切替え要求４０５を受信すると、パラメータ設定時刻Ｔｐｗを計算し（４０９）、パラメータテーブル１４０から、親局が指定した子局ＩＤと対応するタップ利得値セットを検索し（４１０Ａ）、パラメータ設定時刻Ｔｐｗに達した時点で、パラメータレジスタ８０にパラメータ（タップ利得値セット）を設定する（４１０Ｂ）。パラメータ設定時刻Ｔｐｗの計算には、等化器制御部１３０がパラメータ設定を開始してから、等化器１１２が適用制御動作を開始するまでの制御遅延時間Δｔｄが考慮される。
【手続補正９】
【補正対象書類名】明細書
【補正対象項目名】００６８
【補正方法】変更
【補正の内容】
【００６８】
図１４は、等化器特性切替えの第４実施例の制御シーケンスを示す。
第４実施例の特徴は、第３実施例と同様、等化器制御部１３０側で、パラメータレジスタ８０へのパラメータ設定時刻Ｔｐｗを算出し（４０８）、パラメータレジスタ８０にパラメータ（タップ利得値セット）を設定（４１０Ｂ）した後、子局からのデータ送信（４２０）が完了したタイミングで、パラメータレジスタ８０からタップ利得の収束値を回収（４１２）するようにした点にある。
本実施例では、切替え要求４０５は、子局ＩＤの他に、親局が子局に割り当てた送信開始時刻Ｔ１ｓと、子局に割り当てた送信期間Ｔｘと、子局からの送信信号の伝送遅延時間ｔｆ１とを含む。
【手続補正１０】
【補正対象書類名】明細書
【補正対象項目名】００７１
【補正方法】変更
【補正の内容】
【００７１】
尚、図１５では、等化器制御部１３０が、等化器の適応制御動作を開始してから送信期間Ｔｘが経過するのを待ったが（２３２、２４０）、切替え時刻Ｔｐｗを計算する時（２０２）、次式（５）に従って、タップ利得収束値の回収開始時刻Ｔｐｒも計算しておき、時刻Ｔｐｒに達した時点で、パラメータレジスタ８０からタップ利得の収束値を回収し、パラメータテーブル１４０に保存するようにしてもよい。
Ｔｐｒ＝Ｔｐｗ ＋ Ｔｘ− Δｔｄ        ・・・（５）
また、親局が、切替え要求４０５で、送信期間Ｔｘの代わりに送信終了時刻Ｔ１ｅを指定しておき、等化器制御部１３０が、切替え時刻Ｔｐｗを計算する時（２０２）、次式（６）に従って、タップ利得収束値の回収開始時刻Ｔｐｒを計算するようにしてもよい。
Ｔｐｒ＝Ｔ１ｅ ＋ ｔｆ１              ・・・（６）
以上の実施例では、タップ利得値の計算アルゴリズムとして、ＬＭＳ法を用いた場合について説明したが、他の計算アルゴリズム、例えば、逐次最小２乗法（ＲＬＳ：Recursive Least Square）法を用いた場合でも、本発明は有効である。ＲＬＳ法では、逆行列演算が必要となるため、等化器１１２の規模は大きくなるが、ＬＭＳ法よりも収束演算速度を向上させることが可能となる。本発明は、タップ利得値の計算アルゴリズムとして、カルマン利得ベクトルを適用した場合でも有効となる。また、光ファイバ５０および支線光ファイバ５１として、シングルモードファイバ以外に、マルチモードファイバを使用した場合でも、本発明は有効となる。